(57)【特許請求の範囲】
【請求項１】
ボルト部材に螺合するナット部材を、前記ボルト部材に沿って移動させるための、ナット回転具であって、
モーターを備えた回転駆動手段によって回転する回転部材を備え、
前記回転部材は、軸部と、その軸部から外方に延出されるとともに前記ナット部材の外周面に当接してそのナット部材を回転させる複数の羽根部とを備え、
前記羽根部は、弾性を有して湾曲可能であって、前記回転部材の回転方向の違いにより、前記ナット部材の回転速度が変わるように、前記ナット部材の外周面に当接する少なくとも先端側が、前記回転部材の回転中心を通る半径方向に対して傾斜して延びていることを特徴とするナット回転具。
【請求項２】
前記羽根部の少なくとも先端側の前記傾斜の方向とは、反対となる方向が、前記回転部材の正転方向となって、
前記回転部材の前記正転方向への回転による、前記ナット部材の回転速度が、相対的に速く、前記回転部材の前記正転方向とは反対の逆転方向への回転による、前記ナット部材の回転速度が、相対的に遅くなっていることを特徴とする請求項１に記載のナット回転具。
【請求項３】
前記回転駆動手段を、前記ナット回転具自身に備えてなることを特徴とする請求項１または２に記載のナット回転具。
【請求項４】
前記ナット回転具は、そのナット回転具を持つために、手で握ることができる把持部を備え、その把持部は、前記回転部材を基準にして、前記ボルト部材側とは反対側に位置していることを特徴とする請求項３に記載のナット回転具。
【発明の詳細な説明】
【０００１】
【発明の属する技術分野】
この発明は、吊りボルト等のボルト部材に螺合するナット部材を、ボルト部材に沿って移動させるための、ナット回転具に関するものである。
【０００２】
【従来の技術および発明が解決しようとする課題】
従来、例えば、建物の天井等にケーブル等の配設物を配設するにあたって、吊りボルトなどのボルトが用いられていた。すなわち、ケーブルラックとかボックス等の支持具が、ボルトに、そのボルトに螺合するナットを用いて取り付けられ、そして、この支持具に、前記配設物が取り付けられた。ここで、ナットを、ボルトにおける、支持具が取り付けられる所定の位置まで移動させるために、例えば、登録実用新案第３０３７２５３号公報に示されるナット回転具が用いられた。かかるナット回転具２０は、図９および図１０に示されるように、電気ドリル２１のチャックに取り付けられて、その電気ドリル２１の駆動により回転するものであった。そして、このナット回転具２０は、ナット２３の外周面２３ａに押圧されるキャップ２２を備えており、このキャップ２２の回転によって、ナット２３を、回転させてボルト２４の軸方向に移動させていた。
【０００３】
また、キャップ２２は、前記電気ドリル２１の駆動の正逆切替えにより、回転方向が反転し、その反転により、ナット２３をボルト２４に対して、締める方向と緩める方向のいずれの方向にも移動させることができた。なお、キャップ２２には歯２２ａが設けられており、その歯２２ａは、キャップ２２の回転中心Ｃを通る半径方向Ｄに、放射状に延設されていた（図１０参照）。
【０００４】
ところで、前記従来のナット回転具２０においては、ナット２３の締付のスピーディさが要求され、キャップ２２の回転によるナット２３の移動は高速であるのが望ましかった。しかし、ボルト２４に対して高速に回転して移動するナット２３を、ボルト２４の所定位置にストップさせることは難しく、その所定位置を越えてしまい勝ちであった。そこで、キャップ２２の回転方向を反転させることで、ナット２３を所定位置に戻していた。しかし、このナット回転具２０においては、ナット２３の移動速度は、締める方向にも緩める方向にもほぼ同じであって、ナット２３を所定位置に戻そうとすると、さらに所定位置を通過した位置まで戻されてしまうことも多く、ナット２３を所定位置に配置することが困難であった。
【０００５】
この発明は、上記した従来の問題点を解決するためになされたものであり、その目的は、ナット部材を、ボルト部材の所定位置に迅速に移動させることができる、ナット回転具を提供することにある。
【０００６】
【課題を解決するための手段】
この発明に係るナット回転具は、前記目的を達成するために、次の構成からなる。すなわち、
請求項１に記載の発明に係るナット回転具は、ボルト部材に螺合するナット部材を、前記ボルト部材に沿って移動させるための、ナット回転具であって、モーターを備えた回転駆動手段によって回転する回転部材を備える。この回転部材は、軸部と、その軸部から外方に延出されるとともに前記ナット部材の外周面に当接してそのナット部材を回転させる複数の羽根部とを備える。そして、前記羽根部は、弾性を有して湾曲可能であって、前記回転部材の回転方向の違いにより、前記ナット部材の回転速度が変わるように、前記ナット部材の外周面に当接する少なくとも先端側が、前記回転部材の回転中心を通る半径方向に対して傾斜して延びている。
【０００７】
これによれば、モーターを備えた回転駆動手段によって回転する回転部材は、複数の羽根部を備えており、その羽根部が、ナット部材の外周面に当接してそのナット部材を回転させる。そして、羽根部は、弾性を有して湾曲可能であって、前記ナット部材の外周面に当接する少なくとも先端側が、回転部材の回転中心を通る半径方向に対して傾斜して延びており、回転部材の回転方向の違いにより、ナット部材の回転速度が変わるようになっている。したがって、ナット部材の回転速度が速くなる側に、回転部材の回転方向を採ることで、ナット部材を所定位置の方向に素早く送ることが可能となる。そして、このとき、ナット部材が所定位置で止まることができず、その所定位置を越えた位置まで移動してしまった場合には、回転部材の回転方向を反対にすることで、ナット部材を戻すことができる。ここにおいて、ナット部材の回転速度は遅くなり、そのナット部材はゆっくり戻るので、そのナット部材は容易に所定位置に止められる。
【０００８】
また、請求項２に記載の発明に係るナット回転具のように、請求項１に記載のナット回転具において、前記羽根部の少なくとも先端側の前記傾斜の方向とは、反対となる方向が、前記回転部材の正転方向となって、前記回転部材の前記正転方向への回転による、前記ナット部材の回転速度が、相対的に速く、前記回転部材の前記正転方向とは反対の逆転方向への回転による、前記ナット部材の回転速度が、相対的に遅くなっていてもよい。こうして、羽根部の少なくとも先端側の傾斜の方向と反対となる方向が、回転部材の正転方向となっており、この正転方向に回転部材を回転させることで、ナット部材を、その所定位置の方向に素早く送ることができる。また、このとき、ナット部材が、その所定位置を越えた位置まで移動してしまった場合には、逆転方向に回転部材を回転させれば、ナット部材はゆっくり戻り、そのナット部材は容易に所定位置に止められる。
【０００９】
また、請求項３に記載の発明に係るナット回転具のように、請求項１または２に記載のナット回転具において、前記回転駆動手段を、前記ナット回転具自身に備えてもよい。これにより、回転駆動手段を、ナット回転具とは別に設ける必要がなく、この回転駆動手段を含めたナット回転具の取扱いが容易となる。
【００１０】
また、請求項４に記載の発明に係るナット回転具のように、請求項３に記載のナット回転具において、そのナット回転具は、そのナット回転具を持つために、手で握ることができる把持部を備え、その把持部は、前記回転部材を基準にして、前記ボルト部材側とは反対側に位置しているのが望ましい。これにより、把持部を握る手が、ボルト部材から離れることとなり、その手がボルト部材に接触するのを防ぐことができる。
【００１１】
【発明の実施の形態】
以下、この発明に係るナット回転具の実施の形態を図面に基づいて説明する。
【００１２】
図１ないし図６は、本発明に係るナット回転具の一実施の形態を示す。図中符号１は、例えば、二重天井における上側の天井Ｔに吊り下げられた、ボルト部材としての吊りボルトである。２は、吊りボルト１に螺合する六角ナット等のナット部材であって、このナット部材２を用いて、天井Ｔに配設されるケーブルを支持するためのケーブル支持具（図示せず）が取り付けられる。３は、ナット部材２を吊りボルト１に沿って移動させるためのナット回転具である。
【００１３】
ここで、ナット回転具３は、図１ないし図３に示すように、本体４と、この本体４に着脱可能に取り付けられる蓋５と、回転駆動手段６と、この回転駆動手段６によって回転する回転部材７と、吊りボルト１の周面１ａに当接して、回転部材７がナット部材２の外周面２ａに当接するように案内する、案内部（第一の案内部８および第二の案内部９）とを備える。
【００１４】
本体４は、例えば、正面視において、台形状の中空状体からなり、向かって左側が把持部Ｇとなっており、本体４の下部中央付近に明けられた指入れ部Ｇ１に、指を入れるようにして、その把持部Ｇを手で握ることで、本体４を容易に持つことができるように形成されている。すなわち、ナット回転具３は、そのナット回転具３を持つために、手で握ることができる把持部Ｇを備えており、その把持部Ｇは、後に詳述する回転部材７を基準にして、前記吊りボルト１側とは反対側に位置している。そして、この把持部Ｇの内部は、後述する回転駆動手段６を構成する電池Ｋ、Ｋを収納する、電池収納空間１０となっている。そして、この電池収納空間１０の上方には、電池Ｋ、Ｋを出し入れするための第一の開口１０ａが形成されている。また、本体４の向かって右側の内部は、前記回転部材７を収納する回転部材収納空間１１となっている。この回転部材収納空間１１の上方には、回転部材７を出し入れするための第二の開口１１ａが形成され、右側方には、第二の開口１１ａと連続する第三の開口１１ｂが形成されている。この第三の開口１１ｂの高さ方向の寸法Ｈは、回転部材収納空間１１の高さ方向の寸法と同じ寸法となっている。そして、本体４の上部正面には、後述するスイッチ操作部６ｂが取り付けられており、また、本体４の上部中央には、蓋５を着脱可能に取り付けるために、雄ネジ１２に螺合するナット１２ａが埋設されている。
【００１５】
蓋５は、前記本体４の電池収納空間１０および回転部材収納空間１１の開口１０ａ、１１ａを塞ぐものである。この蓋５は、その下方から上方に向かって延びるように形成された差し込み孔５ａを備えており、この差し込み孔５ａに、後述する回転部材取付棒１３の先端部１３ａが差し込まれるようになっている。そして、この蓋５は、本体４のナット１２ａにねじ込まれる雄ネジ１２を介して、その本体４に着脱可能に取り付けられる。
【００１６】
回転駆動手段６は、例えば、モーター６ａと、スイッチ操作部６ｂと、モーター６ａの電源となる電池Ｋ、Ｋとを備えている。スイッチ操作部６ｂは、モーター６ａの回転方向、つまりは、回転部材７の回転方向を、正転方向Ｅ（図示実施の形態においては、右回り方向）と、その正転方向とは反対の逆転方向（図示実施の形態においては、左回り方向）とに切り替える操作と、回転停止操作とを行うためのスイッチである。また、モーター６ａは、その軸６ｃが、前記本体４の回転部材収納空間１１に下方から突き出るようにして配備されており、その軸６ｃには、回転部材７を取り付けるための回転部材取付棒１３が固定される。この回転部材取付棒１３は、その先端部１３ａのみが径小の円柱状に形成され、他は径大の多角形状、例えば、六角形状に形成されている。そして、この回転部材取付棒１３は、その先端部１３ａが、蓋５の差し込み孔５ａに差し込まれて、モーター６ａおよび蓋体５によって回転可能に支持されている。また、電池Ｋ、Ｋは、本体４の電池収納空間１０に直列接続されるようにして収納されており、これら電池Ｋ、Ｋは、蓋５を本体４から取り外すことで、取り換え交換が可能となる。なお、図示実施の形態においては、本体４の背面には、電源ケーブル（図示せず）を接続するためのケーブル接続部６ｄが配備されている。したがって、そのケーブル接続部６ｄに電源ケーブルを接続することで、モーター６ａの電源に外部電源を用いることができる。
【００１７】
回転部材７は、例えばゴムあるいは軟質合成樹脂等からなる。そして、回転部材７は、軸部７ａと、その軸部７ａから外方に延出されるとともに前記ナット部材２の外周面２ａに当接してそのナット部材２を回転させる複数の羽根部７ｂ、７ｂとを備えている。この羽根部７ｂは、弾性を有して湾曲可能であって、回転部材７の回転方向の違いにより、ナット部材２の回転速度が変わるように、ナット部材２の外周面２ａに当接する少なくとも先端側が、回転部材７の回転中心Ｃを通る半径方向Ｄに対して傾斜して延びている。詳細には、羽根部７ｂの少なくと先端側の前記傾斜の方向とは、反対となる方向が、回転部材７の前記正転方向Ｅとなっている（図６参照）。そして、回転部材７の正転方向Ｅへの回転による、ナット部材２の回転速度が、相対的に速く、回転部材７の正転方向Ｅとは反対の逆転方向への回転による、ナット部材２の回転速度が、相対的に遅くなっている。
【００１８】
具体的には、軸部７ａは、円筒状に形成されている。また、羽根部７ｂは、その全体が、回転部材７の回転中心Ｃを通る半径方向Ｄに対して傾斜して延びている。より具体的には、羽根部７ｂは、その全体が、回転部材７の回転中心Ｃを通る半径方向Ｄに対して傾斜して真直ぐ延びている。しかも、羽根部７ｂは、軸部７ａの軸方向にも真直ぐ延びており、全体が平板状に形成されている。また、これら羽根部７ｂ、７ｂは、高さ方向の寸法Ｈ１が、第三の開口１１ｂの高さ方向の寸法Ｈよりもやや短い寸法で形成されている。また、軸部７ａにおける、その中心部分を軸方向に貫通する貫通孔７ｃは、回転部材取付棒１３を差し込むことができるように、上部を除くその下方部分が、回転部材取付棒１３の形状に対応するような断面が多角形状、例えば、断面六角形状に形成されている（したがって、図示実施の形態においては、回転部材７の軸部７ａに回転部材取付棒１３を差し込んでも、回転部材取付棒１３の先端部１３ａを除く部分の断面が六角形状になっていることから、回転部材７は、回転部材取付棒１３の回転を確実に受けて回転できる。）。そして、この回転部材７は、回転部材取付棒１３に取り付けられることで、前記本体４の回転部材収納空間１１に回転可能に収納されている。そして、この回転部材収納空間１１に収納された回転部材７は、前記第三の開口１１ｂを通して、外部に露出している（図２および図６参照）。なお、回転部材７は、蓋５を本体４から取り外すことで、取り換え交換が可能となっている。
【００１９】
第一の案内部８は、本体４の第三の開口１１ｂの真下で、右側方に向かって突設された第一板部８ａを、右側から半楕円状に窪むようにして形成された凹部からなる。また、第二の案内部９は、蓋５の右側方に向かって突設された第二板部９ａと、蓋５の右側部５ｂとを、右側から半楕円状に窪むようにして形成された、上下に延びる凹部（図示実施の形態においては、上下に延びる溝になっている）からなり、かつ、第一の案内部８の真上に位置する。すなわち、第一の案内部８と第二の案内部９は、上下に並ぶように配備されるとともに、回転部材７を挟む両側に配備されることになる。また、第一および第二の案内部８、９は、平面視半楕円状の凹部からなるので、これら案内部８、９を前記吊りボルト１の周面１ａに当接させることで、案内部８、９が、回転部材７の羽部部７ｂ、７ｂの先端側を吊りボルト１に螺合するナット部材２の外周面２ａに当接するように案内する。また、これら第一および第二の案内部８、９を、その最も奥側で吊りボルト１の周面１ａと当接させることで、吊りボルト１のほぼ半径方向のほぼ半分を案内部８、９の凹部に入れることができる（図５および図６参照）。
【００２０】
次に、以上の構成からなるナット回転具３の、使用方法について説明する。第一の案内部８および第二の案内部９を、ボルト部材としての吊りボルト１の周面１ａに当接させる。これにより、回転部材７の羽根部７ｂ、７ｂの先端側は、吊りボルト１に螺合するナット部材２の外周面２ａに当接するように案内される。そして、スイッチ操作部６ｂを、回転部材７の回転方向が正転方向Ｅとなる正転側に操作すると、ナット部材２の外周面２ａに当接するとともにモーター６ａによって正転方向Ｅ（右回り方向）に回転させられる回転部材７の羽根部７ｂ、７ｂの回転を受けて、ナット部材２が、回転部材７の回転方向とは逆の方向（左回り方向）に回転する。そして、このナット部材２の回転により、ナット部材２は、このナット部材２が螺合する吊りボルト１に沿って一方（上方）に移動する。このとき、このナット回転具３の第一の案内部８および第二の案内部９を、吊りボルト１の周面１ａに当接させながら、ナット回転具３を、ナット部材２が吊りボルト１に沿って移動する方向（上方）に動かすことにより、吊りボルト１に沿って移動するナット部材２に、回転部材７を追従させることができる。なお、ナット部材２を吊りボルト１に沿って他方（下方）に移動させるには、スイッチ操作部６ｂを逆転側に操作するとよい。
【００２１】
次に、この一実施の形態に示すナット回転具３の作用効果について説明する。このナット回転具３によれば、回転駆動手段６によって回転する回転部材７は、複数の羽根部７ｂ、７ｂを備えており、その羽根部７ｂが、吊りボルト１に螺合するナット部材２の外周面２ａに当接してそのナット部材２を回転させる。そして、羽根部７ｂは、弾性を有して湾曲可能であって、ナット部材２の外周面２ａに当接する少なくとも先端側が、回転部材７の回転中心Ｃを通る半径方向Ｄに対して傾斜して延びており、回転部材７の回転方向の違いにより、ナット部材２の回転速度が変わるようになっている。したがって、ナット部材２の回転速度が速くなる側に、回転部材７の回転方向を採ることで（すなわち、回転部材７を正転方向Ｅに回転させることで）、ナット部材２を所定位置の方向に素早く送ることが可能となる。そして、このとき、ナット部材２が所定位置で止まることができず、その所定位置を越えた位置まで移動してしまった場合には、回転部材７の回転方向を反対にすることで（すなわち、回転部材７を逆転方向に回転させることで）、ナット部材２を戻すことができる。ここにおいて、ナット部材２の回転速度は遅くなり、そのナット部材２はゆっくり戻るので、そのナット部材２は容易に所定位置に止められる。このように、回転部材７における羽根部７ｂが、その回転部材７の回転中心Ｃを通る半径方向Ｄに対して傾斜して延びることで、ナット部材２の送りと戻りの速度を変え、そして、その速度の違いによって、ナット部材２を、吊りボルト１の所定位置に迅速に移動させることができる。
【００２２】
なお、回転部材７における正転方向Ｅとは、ナット部材２の回転速度を相対的に速くする方向であって、図示実施の形態においては、羽根部７ｂの少なくとも先端側の傾斜の方向とは、反対となる方向である。そして、回転部材７における逆転方向とは、ナット部材２の回転速度を相対的に遅くする方向であって、図示実施の形態においては、羽根部７ｂの少なくとも先端側の傾斜の方向と同一の方向である。すなわち、回転部材７が、羽根部７ｂの少なくとも先端側の傾斜の方向とは反対の方向となる、正転方向Ｅに回転すると、ナット部材２に当接した羽根部７ｂが、その傾斜の方向に容易に撓み、羽根部７ｂにかかる負荷が小さくなり、したがって、モーター６ａ（回転駆動手段６）の出力が一定であっても、ナット部材２の回転速度は相対的に速くなる。そして、回転部材７が、羽根部７ｂの少なくとも先端側の傾斜の方向と同一の方向となる、逆転方向に回転すると、ナット部材２に当接した羽根部７ｂが、その傾斜の方向とは反対の方向に無理に撓み、羽根部７ｂにかかる負荷が大きくなり、したがって、モーター６ａ（回転駆動手段６）の出力が一定であっても、ナット部材２の回転速度は相対的に遅くなる。また、このことから、羽根部７ｂが傾斜して延びていると、羽根部７ｂが放射状に延びる場合と比べて、回転部材７の前記正転方向Ｅの回転によるナット部材２の回転速度は速くなるので、ナット部材２を所定位置の方向に素早く送ることができる。
【００２３】
また、ナット回転具３は、そのナット回転具３自身に、回転駆動手段６を備えているので、この回転駆動手段６を、ナット回転具３とは別に設ける必要がない。したがって、この回転駆動手段６を含めたナット回転具３の取扱いを容易にすることができる。また、ナット回転具３の把持部Ｇは、回転部材７を基準にして、吊りボルト１側とは反対側に位置しているので、把持部Ｇを握る手が、吊りボルト１から離れることとなり、その手が吊りボルト１に接触するのを防ぐことができる。したがって、ナット回転具３の操作性を向上させることができる。
【００２４】
また、ナット回転具３の第一の案内部８および第二の案内部９を、回転部材７を挟む両側で、吊りボルト１の周面１ａに当接させることにより、回転部材７の羽根部７ｂが、吊りボルト１に螺合するナット部材２の外周面２ａに確実に当接するように案内される。したがって、このナット部材２の外周面２ａに当接する羽根部７ｂによって、ナット部材２を確実に回転させることができる。その上、羽根部７ｂにおける先端側が、そのナット部材２の外周面２ａに当接するので、この回転部材７は、ナット部材２の、吊りボルト１に沿う移動を妨げることがない。しかも、羽根部７ｂは、弾性を有して湾曲可能となっているので、ナット部材２の外周面２ａに確実に当接し、そのナット部材２を確実に回転させることができる。また、羽根部７ｂは、ナット部材２の外周面２ａに当接する少なくとも先端側（特に先端側を含む全体）が、回転部材７の回転中心Ｃを通る半径方向Ｄに対して、その回転部材７の正転方向Ｅ（図示実施の形態においては、右回り方向）とは反対方向に傾斜して延びているので、回転部材７が正転方向に回転する場合に、羽根部７ｂの先端側がナット部材２の外周面２ａに当接する際の抵抗が小さくなり、回転部材７の回転に必要な力を小さくすることができる。
【００２５】
また、ナット回転具３の第一および第二の案内部８、９を、回転部材７の両側で、吊りボルト１の周面１ａに当接させた状態で、そのナット回転具３を、ナット部材２が吊りボルト１に沿って移動する方向に動かすことができる。これにより、吊りボルト１に沿って移動するナット部材２に、そのナット部材２を回転させる回転部材７を追従させて、ナット部材２を確実、かつ、容易に移動させることができる。また、第一および第二の案内部８、９が平面視半楕円状の凹部からなるので、それら案内部８、９が吊りボルト１の周面１ａに当接することで、吊りボルト１を容易にその中央に案内することができるとともに、ナット回転具３のがたつきを抑えて、回転部材７をナット部材２から外れにくくすることができる。しかも、第一および第二の案内部８、９が凹部からなることで、ナット回転具３の、移動させる際のがたつきを抑えることができ、吊りボルト１に沿って移動するナット部材２に、回転部材７を容易に追従させることができる。このように、案内部８、９は、吊りボルト１の周面１ａに当接してこのナット回転具３のがたつき（吊りボルト１の延びる方向に対して直交する横方向のがたつき）を抑えるとともに、吊りボルト１の周面１ａに当接した状態でこのナット回転具３を吊りボルト１に沿って移動させた際のナット回転具３のがたつき（吊りボルト１の延びる方向に対して直交する横方向のがたつき）を抑えることができる凹部となっている。もっとも、羽根部７ｂの高さ寸法Ｈ１の範囲内であれば、ナット回転具３を、ナット部材２が吊りボルト１に沿って移動する方向に動かすことなく、ナット部材２を吊りボルト１に沿って移動させることができる。
【００２６】
なお、本発明に係るナット回転具３は、上述した実施の形態に限定されるわけではなく、その他種々の変更が可能である。例えば、回転駆動手段６は、ナット回転具３自身に備わっていなくとも、ナット回転具３とは別に設けられていてもよい。その一例として、ナット回転具３が、回転部材７と回転部材取付棒１３とからなり、この回転部材取付棒１３が、回転駆動手段となる電気ドリル等に取り付けられてもよい。
【００２７】
また、第一の案内部８および第二の案内部９は、平面視半楕円状に窪む凹部からなる必要がなく、例えば、半円形状、四角形状あるいは長方形状その他の形状に窪む凹部であってもよい。また、第一の案内部８および第二の案内部９は、凹部以外の案内部、例えば、可撓性を有する板部に明けられた孔部であってもよい。この場合、板部に、外部と孔部とを連通させるスリットを設けて、そのスリットから吊りボルト１を孔部に通して、この孔部を吊りボルト１の周面１ａに当接させる。これにより、ナット回転具３が吊りボルト１から外れにくくなり、したがって、回転部材７がナット部材２から外れにくくなる。
【００２８】
また、案内部８、９は、回転部材７を挟む両側に配備されなくとも、図７に示すように、本体４に設けられた第一の案内部８だけであってもよい。このように案内部が一つだけの場合、第一の案内部８を上下に長くすることで、この第一の案内部８だけでも、ナット回転具３のがたつきを抑え、かつ、ナット回転具３の、ナット部材２が吊りボルト１に沿って移動する方向に移動させる際のがたつきを抑えることができる。また、図７に示すように、吊りボルト１の下端部にナット部材２が螺合するような場合には、このナット回転具３の上下を反対にして使用することにより、ナット部材２を移動させる際に、案内部８を吊りボルト１の周面１ａに当接させることができる。もっとも、ナット回転具３は、第二の案内部９だけを配備したものであってもよい。また、ナット回転具３に、第一の案内部８および第二の案内部９に加えて他の案内部を配備してもよい。
【００２９】
また、羽根部７ｂは、図８に示すように、右上がりでねじ曲がるように、軸部７ａから外方に延出されるものであってよい。これにより、回転部材７が右回り方向に回転する場合には、羽根部７ａがナット部材２を押し上げるようにして回転することとなり、ナット部材２を吊りボルト１に沿って容易に上方に移動させることができる。そして、回転部材７が左回り方向に回転する場合には、羽根部７ａがナット部材２を押し下げるようにして回転することとなり、ナット部材２を吊りボルト１に沿って容易に下方に移動させることができる。
【００３０】
また、ボルト部材は、吊りボルト１以外のボルト、例えば、アンカーボルトであってもよく、また、そのボルト部材に螺合するナット部材２は、六角ナット以外のナット、例えば、四角ナットその他のナットであってもよい。
【００３１】
【発明の効果】
請求項１または２に記載されたナット回転具によれば、回転部材における羽根部が、その回転部材の回転中心を通る半径方向に対して傾斜して延びることで、ナット部材の送りと戻りの速度を変えることができ、その速度の違いによって、ナット部材を、ボルト部材の所定位置に迅速に移動させることができる。
【００３２】
また、請求項３に記載されたナット回転具によれば、加えて、回転駆動手段を、ナット回転具とは別に設ける必要がなく、この回転駆動手段を含めたナット回転具の取扱いを容易にすることができる。
【００３３】
また、請求項４に記載されたナット回転具によれば、加えて、把持部を握る手が、ボルト部材に接触するのを防ぐことができ、このナット回転具の操作性を向上させることができる。
【図面の簡単な説明】
【図１】  この発明に係るナット回転具の一実施の形態の、正面図である。
【図２】  同じく、ナット回転具の右側面図である。
【図３】  同じく、ナット回転具の分解正面図である。
【図４】  同じく、回転部材の斜視図である。
【図５】  同じく、図１におけるＡ−Ａ矢視図である。
【図６】  同じく、図５における、一部を破断した平面図である。
【図７】  この発明に係るナット回転具の他の実施の形態の、図１相当図である。
【図８】  この発明に係るナット回転具のさらに他の実施の形態の、回転部材の正面図である。
【図９】  従来のナット回転具の、正面図である。
【図１０】  同じく、拡大平面図である。
【符号の説明】
１    吊りボルト（ボルト部材）    ２  ナット部材
２ａ  外周面                      ３  ナット回転具
６    回転駆動手段                ６ａ  モーター
７    回転部材
７ａ  軸部                        ７ｂ  羽根部
Ｃ  回転中心                      Ｄ  半径方向
Ｅ  正転方向                      Ｇ  把持部
【図１】
0003955227.tif 000002
【図２】
0003955227.tif 000003
【図３】
0003955227.tif 000004
【図４】
0003955227.tif 000005
【図５】
0003955227.tif 000006
【図６】
0003955227.tif 000007
【図７】
0003955227.tif 000008
【図８】
0003955227.tif 000009
【図９】
0003955227.tif 000010
【図１０】
0003955227.tif 000011